(57)【要約】【課題】本発明はバイオニックナイトライトを開示した。【解決手段】本発明はバイオニックナイトライトを開示し、主体を含み、前記主体の中には点滅チャンバが設置されており、前記点滅チャンバの中には点滅装置が設置されており、前記点滅チャンバの底壁の中には動力チャンバが設置されており、前記動力チャンバの底壁の中には制御チャンバが設置されており、前記制御チャンバの底壁の中にはスライドチャンバが設置されており、本発明は結構が簡単で、操作が便利で、生産されやすく、それにこの設備は蛍を真似してキラキラ光り、自然発光雰囲気を作り、それに幕を利用して異なる画像を投射し、家主の独特な個性を示し、そのためこの設備は高い使用と普及する価値がある。【選択図】図１
2020174029.tif 000002
【特許請求の範囲】
【請求項１】
バイオニックナイトライトであって、主体を含み、前記主体の中には点滅チャンバが設置されており、前記点滅チャンバの中には点滅装置が設置されており、前記点滅チャンバの底壁の中には動力チャンバが設置されており、前記動力チャンバの底壁の中には制御チャンバが設置されており、前記制御チャンバの底壁の中にはスライドチャンバが設置されており、前記スライドチャンバの中には幕チャンバが設置されており、前記幕チャンバの中には幕装置が設置されており、前記制御チャンバの中には制御装置が設置されており、前記スライドチャンバの中には切替装置が設置されており、前記動力チャンバの中には動力装置が設置されており、前記動力装置は前記動力チャンバの頂壁の中に位置するモーターを含み、前記動力チャンバの中には前記モーターと伝動できるように連結される動力軸が設置されており、前記動力軸の外壁には主歯車が設置されており、前記動力軸の底端には主傘歯車が設置されており、
前記動力装置は前記点滅装置を往復に回転連動させ、また前記幕装置を回転連動させてナイトライトの投影を変化させることができることを特徴とするバイオニックナイトライト。
【請求項２】
前記点滅装置は前記点滅チャンバの中に前後に対称的に設置される往復軸を含み、前記往復軸の右端にはウィングが設置されており、前記往復軸の左端には往復歯車が設置されており、前記点滅チャンバの中には往復ラックがスライドできるように設置されており、前記点滅チャンバの左壁の中には切替チャンバが設置されており、前記点滅チャンバの中には伝達軸が設置されており、前記伝達軸の右端には回転盤が設置されており、前記回転盤と前記往復ラックとの間がリンクによってヒンジで連結され、前記切替チャンバの中の前記伝達軸の左端には副傘歯車が固定的に連結され、前記動力チャンバの中には延伸軸が設置されており、前記延伸軸の頂端には前記副傘歯車と噛み合う正傘歯車が設置されており、前記延伸軸の底端には前記主傘歯車と噛み合う従歯車が設置されており、前記幕チャンバの底壁の中にはランプが設置されており、
前記点滅装置はこの設備の光の強弱状態を制御する用であることを特徴とする請求項１に記載のバイオニックナイトライト。
【請求項３】
前記幕装置は前記幕チャンバの中に設置される三組の幕を含み、その一組を例として詳しく説明し、前記幕の頂端には内リングギアが設置されており、前記幕と前記幕チャンバとの間にはねじり撥条が弾性的に設置されており、前記切替装置は前記スライドチャンバの中に設置される従軸を含み、前記従軸の頂端には前記動力チャンバの中で回転できる従傘歯車が固定的に連結され、前記制御チャンバの中の前記従軸の外壁にはウォームが設置されており、前記スライドチャンバの中にはスリーブ軸が設置されており、前記スリーブ軸と前記従軸とがスプラインによって係合され、前記スリーブ軸の底端には前記内リングギアと噛み合う切替歯車が設置されており、前記スリーブ軸の外壁には回転ブロックが回転できるように設置されており、前記回転ブロックと前記スライドチャンバの底壁との間にはリセット撥条が弾性的に設置されており、前記回転ブロックの右端にはスライドラックが設置されており、前記回転ブロックの左端にはラックが設置されており、前記制御チャンバの中には切替軸が設置されており、前記切替軸の後端には左ウォームホイールが設置されており、前記切替軸の前端には前記スライドラックと噛み合う扇形歯車が設置されており、前記制御チャンバの中には位置制限ブロックがスライドできるように設置されており、前記位置制限ブロックの左端と前記制御チャンバの左端壁との間には押え撥条が弾性的に設置されており、前記回転ブロックの頂端には押えブロックが設置されており、
前記切替装置によって前記幕装置の中の幕を切り替えられ、異なる光の効果を出せることを特徴とする請求項２に記載のバイオニックナイトライト。
【請求項４】
前記制御装置は前記制御チャンバの中に設置される制御軸を含み、前記制御軸の後端には右ウォームホイールが設置されており、前記制御軸の前端には下傘歯車が設置されており、前記制御チャンバの中には横軸が設置されており、前記横軸の左端には前記右ウォームホイールと噛み合う左傘歯車が設置されており、前記横軸の外壁には右傘歯車が設置されており、前記制御チャンバの中には縦軸が設置されており、前記縦軸の底端には前記右傘歯車と噛み合う上傘歯車が設置されており、前記縦軸の頂端には上カムが設置されており、前記制御チャンバの中にはスライダがスライドできるように設置されており、前記スライダの右端と前記制御チャンバの右壁との間には戻し撥条が弾性的に設置されており、前記動力チャンバの中の前記スライダの左端には前記従傘歯車と前記主傘歯車と噛み合う中継傘歯車が設置されており、前記従軸の外壁にはラチェットが設置されており、前記制御チャンバの中には歯止めがスライドできるように設置されており、前記歯止めと前記制御チャンバの左壁との間には推し撥条が弾性的に設置されており、前記縦軸の外壁には下カムが設置されており、
前記制御装置は前記幕装置の作動状態を制御できることを特徴とする請求項３に記載のバイオニックナイトライト。
【発明の詳細な説明】
【技術分野】
【０００１】
本発明は生活用品の分野を取り上げて、具体的にはバイオニックナイトライトである。
【背景技術】
【０００２】
ナイトライトは大体夜眠る時に点けるのであり、現有のナイトライトの結構が単一過ぎ、形が簡単すぎ、家主の個性をアピールできなく、それにナイトライトが長い時間に明るい状態であれば人の睡眠の質には良くなく、そのため、本発明はバイオニック結構を持ってキラキラ光るナイトライトを設計するつもりである。
【先行技術文献】
【特許文献】
【０００３】
【特許文献１】中国特許出願公開第104989977号明細書
【発明の概要】
【発明が解決しようとする課題】
【０００４】
本発明の目的はバイオニックナイトライトを提供し、それは現有の技術の上記係合を克副できる。
【課題を解決するための手段】
【０００５】
本発明のバイオニックナイトライトは、主体を含み、前記主体の中には点滅チャンバが設置されており、前記点滅チャンバの中には点滅装置が設置されており、前記点滅チャンバの底壁の中には動力チャンバが設置されており、前記動力チャンバの底壁の中には制御チャンバが設置されており、前記制御チャンバの底壁の中にはスライドチャンバが設置されており、前記スライドチャンバの中には幕チャンバが設置されており、前記幕チャンバの中には幕装置が設置されており、前記制御チャンバの中には制御装置が設置されており、前記スライドチャンバの中には切替装置が設置されており、前記動力チャンバの中には動力装置が設置されており、前記動力装置は前記動力チャンバの頂壁の中に位置するモーターを含み、前記動力チャンバの中には前記モーターと伝動できるように連結される動力軸が設置されており、前記動力軸の外壁には主歯車が設置されており、前記動力軸の底端には主傘歯車が設置されており、
前記動力装置は前記点滅装置を往復に回転連動させ、また前記幕装置を回転連動させてナイトライトの投影を変化させることができる。
【０００６】
更なる技術方案、前記点滅装置は前記点滅チャンバの中に前後に対称的に設置される往復軸を含み、前記往復軸の右端にはウィングが設置されており、前記往復軸の左端には往復歯車が設置されており、前記点滅チャンバの中には往復ラックがスライドできるように設置されており、前記点滅チャンバの左壁の中には切替チャンバが設置されており、前記点滅チャンバの中には伝達軸が設置されており、前記伝達軸の右端には回転盤が設置されており、前記回転盤と前記往復ラックとの間がリンクによってヒンジで連結され、前記切替チャンバの中の前記伝達軸の左端には副傘歯車が固定的に連結され、前記動力チャンバの中には延伸軸が設置されており、前記延伸軸の頂端には前記副傘歯車と噛み合う正傘歯車が設置されており、前記延伸軸の底端には前記主傘歯車と噛み合う従歯車が設置されており、前記幕チャンバの底壁の中にはランプが設置されており、
前記点滅装置はこの設備の光の強弱状態を制御する用である。
【０００７】
更なる技術方案、前記幕装置は前記幕チャンバの中に設置される三組の幕を含み、その一組を例として詳しく説明し、前記幕の頂端には内リングギアが設置されており、前記幕と前記幕チャンバとの間にはねじり撥条が弾性的に設置されており、前記切替装置は前記スライドチャンバの中に設置される従軸を含み、前記従軸の頂端には前記動力チャンバの中で回転できる従傘歯車が固定的に連結され、前記制御チャンバの中の前記従軸の外壁にはウォームが設置されており、前記スライドチャンバの中にはスリーブ軸が設置されており、前記スリーブ軸と前記従軸とがスプラインによって係合され、前記スリーブ軸の底端には前記内リングギアと噛み合う切替歯車が設置されており、前記スリーブ軸の外壁には回転ブロックが回転できるように設置されており、前記回転ブロックと前記スライドチャンバの底壁との間にはリセット撥条が弾性的に設置されており、前記回転ブロックの右端にはスライドラックが設置されており、前記回転ブロックの左端にはラックが設置されており、前記制御チャンバの中には切替軸が設置されており、前記切替軸の後端には左ウォームホイールが設置されており、前記切替軸の前端には前記スライドラックと噛み合う扇形歯車が設置されており、前記制御チャンバの中には位置制限ブロックがスライドできるように設置されており、前記位置制限ブロックの左端と前記制御チャンバの左端壁との間には押え撥条が弾性的に設置されており、前記回転ブロックの頂端には押えブロックが設置されており、
前記切替装置によって前記幕装置の中の幕を切り替えられ、異なる光の効果を出せる。
【０００８】
更なる技術方案、前記制御装置は前記制御チャンバの中に設置される制御軸を含み、前記制御軸の後端には右ウォームホイールが設置されており、前記制御軸の前端には下傘歯車が設置されており、前記制御チャンバの中には横軸が設置されており、前記横軸の左端には前記右ウォームホイールと噛み合う左傘歯車が設置されており、前記横軸の外壁には右傘歯車が設置されており、前記制御チャンバの中には縦軸が設置されており、前記縦軸の底端には前記右傘歯車と噛み合う上傘歯車が設置されており、前記縦軸の頂端には上カムが設置されており、前記制御チャンバの中にはスライダがスライドできるように設置されており、前記スライダの右端と前記制御チャンバの右壁との間には戻し撥条が弾性的に設置されており、前記動力チャンバの中の前記スライダの左端には前記従傘歯車と前記主傘歯車と噛み合う中継傘歯車が設置されており、前記従軸の外壁にはラチェットが設置されており、前記制御チャンバの中には歯止めがスライドできるように設置されており、前記歯止めと前記制御チャンバの左壁との間には推し撥条が弾性的に設置されており、前記縦軸の外壁には下カムが設置されており、
前記制御装置は前記幕装置の作動状態を制御できる。
【発明の効果】
【０００９】
本発明の有益な効果は下記の通りである：
【００１０】
本発明は結構が簡単で、操作が便利で、生産されやすく、それにこの設備は蛍を真似してキラキラ光り、自然発光雰囲気を作り、それに幕を利用して異なる画像を投射し、家主の独特な個性を示し、そのためこの設備は高い使用と普及する価値がある。
【図面の簡単な説明】
【００１１】
発明実施例或いは現有技術の技術プランをもっとはっきり説明できるため、以下は実施例或いは現有技術の説明に使われる付図を簡単に紹介する。
【図１】図１は本発明のバイオニックナイトライトの全体構成模式図であり；
【図２】図２は図１のＡ−Ａの構成模式図
【図３】図３は図１のＢの構成模式図
【図４】図４は図１のＣの構成模式図
【発明を実施するための形態】
【００１２】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−４に示されるように、本発明のバイオニックナイトライトは、主体１１を含み、前記主体１１の中には点滅チャンバ１８が設置されており、前記点滅チャンバ１８の中には点滅装置１００が設置されており、前記点滅チャンバ１８の底壁の中には動力チャンバ２８が設置されており、前記動力チャンバ２８の底壁の中には制御チャンバ４３が設置されており、前記制御チャンバ４３の底壁の中にはスライドチャンバ３２が設置されており、前記スライドチャンバ３２の中には幕チャンバ６６が設置されており、前記幕チャンバ６６の中には幕装置２００が設置されており、前記制御チャンバ４３の中には制御装置３００が設置されており、前記スライドチャンバ３２の中には切替装置４００が設置されており、前記動力チャンバ２８の中には動力装置５００が設置されており、前記動力装置５００は前記動力チャンバ２８の頂壁の中に位置するモーター２４を含み、前記動力チャンバ２８の中には前記モーター２４と伝動できるように連結される動力軸２５が設置されており、前記動力軸２５の外壁には主歯車３４が設置されており、前記動力軸２５の底端には主傘歯車２７が設置されており、
前記動力装置５００は前記点滅装置１００を往復に回転連動させ、また前記幕装置２００を回転連動させてナイトライトの投影を変化させることができる。
【００１４】
有益なように、前記点滅装置１００は前記点滅チャンバ１８の中に前後に対称的に設置される往復軸２２を含み、前記往復軸２２の右端にはウィング２３が設置されており、前記往復軸２２の左端には往復歯車２０が設置されており、前記点滅チャンバ１８の中には往復ラック２１がスライドできるように設置されており、前記点滅チャンバ１８の左壁の中には切替チャンバ１２が設置されており、前記点滅チャンバ１８の中には伝達軸１４が設置されており、前記伝達軸１４の右端には回転盤１７が設置されており、前記回転盤１７と前記往復ラック２１との間がリンク１９によってヒンジで連結され、前記切替チャンバ１２の中の前記伝達軸１４の左端には副傘歯車１３が固定的に連結され、前記動力チャンバ２８の中には延伸軸１６が設置されており、前記延伸軸１６の頂端には前記副傘歯車１３と噛み合う正傘歯車１５が設置されており、前記延伸軸１６の底端には前記主傘歯車３４と噛み合う従歯車２６が設置されており、前記幕チャンバ６６の底壁の中にはランプ３３が設置されており、
前記点滅装置１００はこの設備の光の強弱状態を制御する用である。
【００１５】
有益なように、前記幕装置２００は前記幕チャンバ６６の中に設置される三組の幕６０を含み、その一組を例として詳しく説明し、前記幕６０の頂端には内リングギア６１が設置されており、前記幕６０と前記幕チャンバ６６との間にはねじり撥条６２が弾性的に設置されており、前記切替装置４００は前記スライドチャンバ３２の中に設置される従軸２９を含み、前記従軸２９の頂端には前記動力チャンバ２８の中で回転できる従傘歯車９９が固定的に連結され、前記制御チャンバ４３の中の前記従軸２９の外壁にはウォーム３０が設置されており、前記スライドチャンバ３２の中にはスリーブ軸５９が設置されており、前記スリーブ軸５９と前記従軸２９とがスプラインによって係合され、前記スリーブ軸５９の底端には前記内リングギア６１と噛み合う切替歯車６５が設置されており、前記スリーブ軸５９の外壁には回転ブロック３１が回転できるように設置されており、前記回転ブロック３１と前記スライドチャンバ３２の底壁との間にはリセット撥条９７が弾性的に設置されており、前記回転ブロック３１の右端にはスライドラック９８が設置されており、前記回転ブロック３１の左端にはラック５１が設置されており、前記制御チャンバ４３の中には切替軸５３が設置されており、前記切替軸５３の後端には左ウォームホイール５２が設置されており、前記切替軸５３の前端には前記スライドラック９８と噛み合う扇形歯車５４が設置されており、前記制御チャンバ４３の中には位置制限ブロック５６がスライドできるように設置されており、前記位置制限ブロック５６の左端と前記制御チャンバ４３の左端壁との間には押え撥条５７が弾性的に設置されており、前記回転ブロック３１の頂端には押えブロック５５が設置されており、
前記切替装置４００によって前記幕装置２００の中の幕を切り替えられ、異なる光の効果を出せる。
【００１６】
有益なように、前記制御装置３００は前記制御チャンバ４３の中に設置される制御軸４８を含み、前記制御軸４８の後端には右ウォームホイール５０が設置されており、前記制御軸４８の前端には下傘歯車４９が設置されており、前記制御チャンバ４３の中には横軸４５が設置されており、前記横軸４５の左端には前記右ウォームホイール５０と噛み合う左傘歯車４７が設置されており、前記横軸４５の外壁には右傘歯車４６が設置されており、前記制御チャンバ４３の中には縦軸３９が設置されており、前記縦軸３９の底端には前記右傘歯車４６と噛み合う上傘歯車４４が設置されており、前記縦軸３９の頂端には上カム３８が設置されており、前記制御チャンバ４３の中にはスライダ３６がスライドできるように設置されており、前記スライダ３６の右端と前記制御チャンバ４３の右壁との間には戻し撥条３７が弾性的に設置されており、前記動力チャンバ２８の中の前記スライダ３６の左端には前記従傘歯車９９と前記主傘歯車２７と噛み合う中継傘歯車３５が設置されており、前記従軸２９の外壁にはラチェット５８が設置されており、前記制御チャンバ４３の中には歯止め４１がスライドできるように設置されており、前記歯止め４１と前記制御チャンバ４３の左壁との間には推し撥条４２が弾性的に設置されており、前記縦軸３９の外壁には下カム４０が設置されており、
前記制御装置３００は前記幕装置２００の作動状態を制御できる。
【００１７】
この設備を使用する時、ランプ３３が通電して発光し、同時に、モーター２４が作業し始めて動力軸２５によって主歯車３４と主傘歯車２７とを回転連動させ、主歯車３４が従歯車２６と、延伸軸１６と、正傘歯車１５と、副傘歯車１３と、伝達軸１４と、回転盤１７と、リンク１９によって往復ラック２１を上下にスライド連動させ、それにより往復歯車２０と、往復軸２２とによってウィング２３を前後にスイング連動させ、光の点滅を実現し、同時に、主傘歯車２７は中継傘歯車３５と、従傘歯車９９と、従軸２９と、スリーブ軸５９と切替歯車６５と、内リングギア６１によって幕６０を回転連動させ、同時に従軸２９はウォーム３０と、左ウォームホイール５２と、切替軸５３と、扇形歯車５４と、スライドラック９８と、回転ブロック３１によってスリーブ軸５９を間欠的にスライド連動させ、切替歯車６５は異なる内リングギア６１と噛み合い、それにより異なる幕６０を切り替え、回転ブロック３１が前記スライドチャンバ３２の最頂端にスライドする時、押えブロック５５と前記位置制限ブロック５６とが接触し、それにより位置制限ブロック５６とラック５１とが接触状態から離脱し、回転ブロック３１が最低端にスライドし、同時にウォーム３０が右ウォームホイール５０と、下傘歯車４９と、左傘歯車４７と、横軸４５と、右傘歯車４６と上傘歯車４４と縦軸３９によって下カム４０と、上カム３８とを回転連動させ、切替歯車６５が異なる内リングギア６１と切り換えて噛み合う時、縦軸３９とスライダ３６とが接触してスライダ３６によって中継傘歯車３５を右側へスライド連動させ、中継傘歯車３５と主傘歯車２７及び従傘歯車９９とが接触状態から離脱し、同時に下カム４０と歯止め４１が接触して歯止め４１を左側へスライド連動させ、歯止め４１とラチェット５８とが係合して、幕を安定に維持させる。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020174029.tif 000003
【図２】
2020174029.tif 000004
【図３】
2020174029.tif 000005
【図４】
2020174029.tif 000006
【手続補正書】
【提出日】令和1年5月28日(2019.5.28)
【手続補正１】
【補正対象書類名】特許請求の範囲
【補正対象項目名】請求項３
【補正方法】変更
【補正の内容】
【請求項３】
前記幕装置は前記幕チャンバの中に設置される三組の幕を含み、前記幕の頂端には内リングギアが設置されており、前記幕と前記幕チャンバとの間にはねじり撥条が弾性的に設置されており、前記切替装置は前記スライドチャンバの中に設置される従軸を含み、前記従軸の頂端には前記動力チャンバの中で回転できる従傘歯車が固定的に連結され、前記制御チャンバの中の前記従軸の外壁にはウォームが設置されており、前記スライドチャンバの中にはスリーブ軸が設置されており、前記スリーブ軸と前記従軸とがスプラインによって係合され、前記スリーブ軸の底端には前記内リングギアと噛み合う切替歯車が設置されており、前記スリーブ軸の外壁には回転ブロックが回転できるように設置されており、前記回転ブロックと前記スライドチャンバの底壁との間にはリセット撥条が弾性的に設置されており、前記回転ブロックの右端にはスライドラックが設置されており、前記回転ブロックの左端にはラックが設置されており、前記制御チャンバの中には切替軸が設置されており、前記切替軸の後端には左ウォームホイールが設置されており、前記切替軸の前端には前記スライドラックと噛み合う扇形歯車が設置されており、前記制御チャンバの中には位置制限ブロックがスライドできるように設置されており、前記位置制限ブロックの左端と前記制御チャンバの左端壁との間には押え撥条が弾性的に設置されており、前記回転ブロックの頂端には押えブロックが設置されており、
前記切替装置によって前記幕装置の中の幕を切り替えられることを特徴とする請求項２に記載のバイオニックナイトライト。
【手続補正２】
【補正対象書類名】明細書
【補正対象項目名】全文
【補正方法】変更
【補正の内容】
【発明の詳細な説明】
【技術分野】
【０００１】
本発明は生活用品の分野を取り上げて、具体的にはバイオニックナイトライトである。
【背景技術】
【０００２】
ナイトライトは大体夜眠る時に点けるのであり、現有のナイトライトの結構が単一過ぎ、形が簡単すぎ、家主の個性をアピールできなく、それにナイトライトが長い時間に明るい状態であれば人の睡眠の質には良くなく、そのため、本発明はバイオニック結構を持ってキラキラ光るナイトライトを設計するつもりである。
【先行技術文献】
【特許文献】
【０００３】
【特許文献１】中国特許出願公開第104989977号明細書
【発明の概要】
【発明が解決しようとする課題】
【０００４】
本発明の目的はバイオニックナイトライトを提供し、それは現有の技術の上記係合を克副できる。
【課題を解決するための手段】
【０００５】
本発明のバイオニックナイトライトは、主体を含み、前記主体の中には点滅チャンバが設置されており、前記点滅チャンバの中には点滅装置が設置されており、前記点滅チャンバの底壁の中には動力チャンバが設置されており、前記動力チャンバの底壁の中には制御チャンバが設置されており、前記制御チャンバの底壁の中にはスライドチャンバが設置されており、前記スライドチャンバの中には幕チャンバが設置されており、前記幕チャンバの中には幕装置が設置されており、前記制御チャンバの中には制御装置が設置されており、前記スライドチャンバの中には切替装置が設置されており、前記動力チャンバの中には動力装置が設置されており、前記動力装置は前記動力チャンバの頂壁の中に位置するモーターを含み、前記動力チャンバの中には前記モーターと伝動できるように連結される動力軸が設置されており、前記動力軸の外壁には主歯車が設置されており、前記動力軸の底端には主傘歯車が設置されており、
前記動力装置は前記点滅装置を往復に回転連動させ、また前記幕装置を回転連動させてナイトライトの投影を変化させることができる。
【０００６】
更なる技術方案、前記点滅装置は前記点滅チャンバの中に前後に対称的に設置される往復軸を含み、前記往復軸の右端にはウィングが設置されており、前記往復軸の左端には往復歯車が設置されており、前記点滅チャンバの中には往復ラックがスライドできるように設置されており、前記点滅チャンバの左壁の中には切替チャンバが設置されており、前記点滅チャンバの中には伝達軸が設置されており、前記伝達軸の右端には回転盤が設置されており、前記回転盤と前記往復ラックとの間がリンクによってヒンジで連結され、前記切替チャンバの中の前記伝達軸の左端には副傘歯車が固定的に連結され、前記動力チャンバの中には延伸軸が設置されており、前記延伸軸の頂端には前記副傘歯車と噛み合う正傘歯車が設置されており、前記延伸軸の底端には前記主傘歯車と噛み合う従歯車が設置されており、前記幕チャンバの底壁の中にはランプが設置されており、
前記点滅装置はこの設備の光の強弱状態を制御する用である。
【０００７】
更なる技術方案、前記幕装置は前記幕チャンバの中に設置される三組の幕を含み、前記幕の頂端には内リングギアが設置されており、前記幕と前記幕チャンバとの間にはねじり撥条が弾性的に設置されており、前記切替装置は前記スライドチャンバの中に設置される従軸を含み、前記従軸の頂端には前記動力チャンバの中で回転できる従傘歯車が固定的に連結され、前記制御チャンバの中の前記従軸の外壁にはウォームが設置されており、前記スライドチャンバの中にはスリーブ軸が設置されており、前記スリーブ軸と前記従軸とがスプラインによって係合され、前記スリーブ軸の底端には前記内リングギアと噛み合う切替歯車が設置されており、前記スリーブ軸の外壁には回転ブロックが回転できるように設置されており、前記回転ブロックと前記スライドチャンバの底壁との間にはリセット撥条が弾性的に設置されており、前記回転ブロックの右端にはスライドラックが設置されており、前記回転ブロックの左端にはラックが設置されており、前記制御チャンバの中には切替軸が設置されており、前記切替軸の後端には左ウォームホイールが設置されており、前記切替軸の前端には前記スライドラックと噛み合う扇形歯車が設置されており、前記制御チャンバの中には位置制限ブロックがスライドできるように設置されており、前記位置制限ブロックの左端と前記制御チャンバの左端壁との間には押え撥条が弾性的に設置されており、前記回転ブロックの頂端には押えブロックが設置されており、
前記切替装置によって前記幕装置の中の幕を切り替えられる。
【０００８】
更なる技術方案、前記制御装置は前記制御チャンバの中に設置される制御軸を含み、前記制御軸の後端には右ウォームホイールが設置されており、前記制御軸の前端には下傘歯車が設置されており、前記制御チャンバの中には横軸が設置されており、前記横軸の左端には前記右ウォームホイールと噛み合う左傘歯車が設置されており、前記横軸の外壁には右傘歯車が設置されており、前記制御チャンバの中には縦軸が設置されており、前記縦軸の底端には前記右傘歯車と噛み合う上傘歯車が設置されており、前記縦軸の頂端には上カムが設置されており、前記制御チャンバの中にはスライダがスライドできるように設置されており、前記スライダの右端と前記制御チャンバの右壁との間には戻し撥条が弾性的に設置されており、前記動力チャンバの中の前記スライダの左端には前記従傘歯車と前記主傘歯車と噛み合う中継傘歯車が設置されており、前記従軸の外壁にはラチェットが設置されており、前記制御チャンバの中には歯止めがスライドできるように設置されており、前記歯止めと前記制御チャンバの左壁との間には推し撥条が弾性的に設置されており、前記縦軸の外壁には下カムが設置されており、
前記制御装置は前記幕装置の作動状態を制御できる。
【発明の効果】
【０００９】
本発明の有益な効果は下記の通りである：
【００１０】
本発明は結構が簡単で、操作が便利で、生産されやすく、それにこの設備は蛍を真似してキラキラ光り、自然発光雰囲気を作り、それに幕を利用して異なる画像を投射し、家主の独特な個性を示し、そのためこの設備は高い使用と普及する価値がある。
【図面の簡単な説明】
【００１１】
発明実施例或いは現有技術の技術プランをもっとはっきり説明できるため、以下は実施例或いは現有技術の説明に使われる付図を簡単に紹介する。
【図１】図１は本発明のバイオニックナイトライトの全体構成模式図であり；
【図２】図２は図１のＡ−Ａの構成模式図
【図３】図３は図１のＢの構成模式図
【図４】図４は図１のＣの構成模式図
【発明を実施するための形態】
【００１２】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−４に示されるように、本発明のバイオニックナイトライトは、主体１１を含み、前記主体１１の中には点滅チャンバ１８が設置されており、前記点滅チャンバ１８の中には点滅装置１００が設置されており、前記点滅チャンバ１８の底壁の中には動力チャンバ２８が設置されており、前記動力チャンバ２８の底壁の中には制御チャンバ４３が設置されており、前記制御チャンバ４３の底壁の中にはスライドチャンバ３２が設置されており、前記スライドチャンバ３２の中には幕チャンバ６６が設置されており、前記幕チャンバ６６の中には幕装置２００が設置されており、前記制御チャンバ４３の中には制御装置３００が設置されており、前記スライドチャンバ３２の中には切替装置４００が設置されており、前記動力チャンバ２８の中には動力装置５００が設置されており、前記動力装置５００は前記動力チャンバ２８の頂壁の中に位置するモーター２４を含み、前記動力チャンバ２８の中には前記モーター２４と伝動できるように連結される動力軸２５が設置されており、前記動力軸２５の外壁には主歯車３４が設置されており、前記動力軸２５の底端には
主傘歯車２７が設置されており、
前記動力装置５００は前記点滅装置１００を往復に回転連動させ、また前記幕装置２００を回転連動させてナイトライトの投影を変化させることができる。
【００１４】
有益なように、前記点滅装置１００は前記点滅チャンバ１８の中に前後に対称的に設置される往復軸２２を含み、前記往復軸２２の右端にはウィング２３が設置されており、前記往復軸２２の左端には往復歯車２０が設置されており、前記点滅チャンバ１８の中には往復ラック２１がスライドできるように設置されており、前記点滅チャンバ１８の左壁の中には切替チャンバ１２が設置されており、前記点滅チャンバ１８の中には伝達軸１４が設置されており、前記伝達軸１４の右端には回転盤１７が設置されており、前記回転盤１７と前記往復ラック２１との間がリンク１９によってヒンジで連結され、前記切替チャンバ１２の中の前記伝達軸１４の左端には副傘歯車１３が固定的に連結され、前記動力チャンバ２８の中には延伸軸１６が設置されており、前記延伸軸１６の頂端には前記副傘歯車１３と噛み合う正傘歯車１５が設置されており、前記延伸軸１６の底端には前記主傘歯車３４と噛み合う従歯車２６が設置されており、前記幕チャンバ６６の底壁の中にはランプ３３が設置されており、
前記点滅装置１００はこの設備の光の強弱状態を制御する用である。
【００１５】
有益なように、前記幕装置２００は前記幕チャンバ６６の中に設置される三組の幕６０を含み、前記幕６０の頂端には内リングギア６１が設置されており、前記幕６０と前記幕チャンバ６６との間にはねじり撥条６２が弾性的に設置されており、前記切替装置４００は前記スライドチャンバ３２の中に設置される従軸２９を含み、前記従軸２９の頂端には前記動力チャンバ２８の中で回転できる従傘歯車９９が固定的に連結され、前記制御チャンバ４３の中の前記従軸２９の外壁にはウォーム３０が設置されており、前記スライドチャンバ３２の中にはスリーブ軸５９が設置されており、前記スリーブ軸５９と前記従軸２９とがスプラインによって係合され、前記スリーブ軸５９の底端には前記内リングギア６１と噛み合う切替歯車６５が設置されており、前記スリーブ軸５９の外壁には回転ブロック３１が回転できるように設置されており、前記回転ブロック３１と前記スライドチャンバ３２の底壁との間にはリセット撥条９７が弾性的に設置されており、前記回転ブロック３１の右端にはスライドラック９８が設置されており、前記回転ブロック３１の左端にはラック５１が設置されており、前記制御チャンバ４３の中には切替軸５３が設置されており、前記切替軸５３の後端には左ウォームホイール５２が設置されており、前記切替軸５３の前端には前記スライドラック９８と噛み合う扇形歯車５４が設置されており、前記制御チャンバ４３の中には位置制限ブロック５６がスライドできるように設置されており、前記位置制限ブロック５６の左端と前記制御チャンバ４３の左端壁との間には押え撥条５７が弾性的に設置されており、前記回転ブロック３１の頂端には押えブロック５５が設置されており、
前記切替装置４００によって前記幕装置２００の中の幕を切り替えられる。
【００１６】
有益なように、前記制御装置３００は前記制御チャンバ４３の中に設置される制御軸４８を含み、前記制御軸４８の後端には右ウォームホイール５０が設置されており、前記制御軸４８の前端には下傘歯車４９が設置されており、前記制御チャンバ４３の中には横軸４５が設置されており、前記横軸４５の左端には前記右ウォームホイール５０と噛み合う左傘歯車４７が設置されており、前記横軸４５の外壁には右傘歯車４６が設置されており、前記制御チャンバ４３の中には縦軸３９が設置されており、前記縦軸３９の底端には前記右傘歯車４６と噛み合う上傘歯車４４が設置されており、前記縦軸３９の頂端には上カム３８が設置されており、前記制御チャンバ４３の中にはスライダ３６がスライドできるように設置されており、前記スライダ３６の右端と前記制御チャンバ４３の右壁との間には戻し撥条３７が弾性的に設置されており、前記動力チャンバ２８の中の前記スライダ３６の左端には前記従傘歯車９９と前記主傘歯車２７と噛み合う中継傘歯車３５が設置されており、前記従軸２９の外壁にはラチェット５８が設置されており、前記制御チャンバ４３の中には歯止め４１がスライドできるように設置されており、前記歯止め４１と前記制御チャンバ４３の左壁との間には推し撥条４２が弾性的に設置されており、前記縦軸３９の外壁には下カム４０が設置されており、
前記制御装置３００は前記幕装置２００の作動状態を制御できる。
【００１７】
この設備を使用する時、ランプ３３が通電して発光し、同時に、モーター２４が作業し始めて動力軸２５によって主歯車３４と主傘歯車２７とを回転連動させ、主歯車３４が従歯車２６と、延伸軸１６と、正傘歯車１５と、副傘歯車１３と、伝達軸１４と、回転盤１７と、リンク１９によって往復ラック２１を上下にスライド連動させ、それにより往復歯車２０と、往復軸２２とによってウィング２３を前後にスイング連動させ、光の点滅を実現し、同時に、主傘歯車２７は中継傘歯車３５と、従傘歯車９９と、従軸２９と、スリーブ軸５９と切替歯車６５と、内リングギア６１によって幕６０を回転連動させ、同時に従軸２９はウォーム３０と、左ウォームホイール５２と、切替軸５３と、扇形歯車５４と、スライドラック９８と、回転ブロック３１によってスリーブ軸５９を間欠的にスライド連動させ、切替歯車６５は異なる内リングギア６１と噛み合い、それにより異なる幕６０を切り替え、回転ブロック３１が前記スライドチャンバ３２の最頂端にスライドする時、押えブロック５５と前記位置制限ブロック５６とが接触し、それにより位置制限ブロック５６とラック５１とが接触状態から離脱し、回転ブロック３１が最低端にスライドし、同時にウォーム３０が右ウォームホイール５０と、下傘歯車４９と、左傘歯車４７と、横軸４５と、右傘歯車４６と上傘歯車４４と縦軸３９によって下カム４０と、上カム３８とを回転連動させ、切替歯車６５が異なる内リングギア６１と切り換えて噛み合う時、縦軸３９とスライダ３６とが接触してスライダ３６によって中継傘歯車３５を右側へスライド連動させ、中継傘歯車３５と主傘歯車２７及び従傘歯車９９とが接触状態から離脱し、同時に下カム４０と歯止め４１が接触して歯止め４１を左側へスライド連動させ、歯止め４１とラチェット５８とが係合して、幕を安定に維持させる。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。